(57)【要約】  複数の場面で構成され、時間の経過に伴って該場面が移り変わる対象に関するアンケートに回答する回答者からアンケートの回答を正確に収集できるサーバ装置等を提供する。  回答者によってアンケートに回答するための回答操作が行われたことに基づいて端末装置から送信された当該回答操作が行われた時刻を取得するための操作信号を受信し、当該受信した操作信号に基づいて時刻を取得し、当該取得した時刻と、対象の各場面と時刻とを対応付けた場面情報とに基づいて対象の場面を特定する。
2012043735.tif 000002
【特許請求の範囲】
【請求項１】
複数の場面で構成され、時間の経過に伴って前記場面が移り変わる対象を鑑賞しつつ前記対象に関するアンケートに回答する回答者の端末装置から、前記アンケートの回答を収集するサーバ装置であって、  前記対象の各場面と時刻とを対応付けた場面情報を記憶する記憶手段と、  前記回答者が前記対象を鑑賞している際に前記アンケートに回答するための回答操作を行った前記端末装置から、前記回答操作が行われた時刻を取得するための操作信号を受信する受信手段と、  前記受信手段が受信した操作信号に基づいて時刻を取得し、当該取得した時刻と前記記憶手段の場面情報とに基づいて前記アンケートの回答対象となった場面を特定する特定手段と、  を備えることを特徴とするサーバ装置。
【請求項２】
請求項１に記載のサーバ装置であって、  前記受信手段は、前記アンケートの回答内容を特定するための回答情報を更に受信し、  前記受信手段が受信した回答情報に基づいて特定される前記アンケートの回答内容を、前記特定手段により特定された場面と対応付けて記憶する回答記憶手段、  を更に備えることを特徴とするサーバ装置。
【請求項３】
請求項２に記載のサーバ装置であって、  複数の異なる前記アンケートの回答内容にそれぞれ応じて複数の前記回答操作が定められており、  前記回答情報は、前記回答操作に応じた前記アンケートの回答内容を特定するための情報であることを特徴とするサーバ装置。
【請求項４】
請求項１又は２に記載のサーバ装置であって、  複数の前記対象がある場合に、各対象の種別を示す種別情報を前記端末装置に送信する種別情報送信手段を更に備え、  前記記憶手段は、前記対象の種別毎に前記場面情報を記憶し、  前記受信手段は、前記端末装置から、前記送信した種別情報に基づいて前記回答者により選択された対象の種別を示す選択種別情報を更に受信し、  前記特定手段は、前記受信した操作信号に基づいて取得される時刻と、前記受信した選択種別情報の示す種別に対応する前記記憶手段の場面情報とに基づいて、前記対象の場面を特定することを特徴とするサーバ装置。
【請求項５】
請求項１又は２に記載のサーバ装置であって、  前記記憶手段は、前記対象毎に当該対象が鑑賞されるべき位置を示す評価位置情報を当該対象と対応付けて更に記憶し、  前記受信手段は、前記端末装置から前記端末装置の位置を示す端末位置情報と、アンケートの回答を行う対象を示す回答対象情報を更に受信し、  前記受信した回答対象情報の示すアンケートの回答を行う対象と対応付けて前記記憶手段に記憶されている評価位置情報と、前記受信した端末位置情報とが異なる場合に、前記端末装置から送信された操作信号に基づくアンケートの回答は不正であると判定する位置不正判定手段を、  更に備えることを特徴とするサーバ装置。
【請求項６】
請求項１又は２に記載のサーバ装置であって、  前記特定手段により特定された対象の場面を示す情報を前記端末装置に送信する送信手段、  を更に備え、  前記受信手段は、前記特定された場面が前記アンケートの回答の対象とした場面であるか否かを示す、前記回答者による確認情報を前記端末装置から受信し、  前記特定手段は、前記受信した確認情報が前記アンケートの回答の対象とした場面でないことを示す場合に、対象の場面を特定したことを取り消すことを特徴とするサーバ装置。
【請求項７】
請求項１又は２に記載のサーバ装置であって、  前記受信手段は、前記回答者が前記対象を鑑賞している際に集音された音声データを前記端末装置から更に受信し、  前記受信した音声データが、前記記憶手段により予め記憶されている前記対象の音声データの何れの部分にも該当しない場合に、端末装置からの操作信号が不正であると判定する音声不正判定手段を、  更に備えることを特徴とするサーバ装置。
【請求項８】
請求項２に記載のサーバ装置であって、  前記回答者による前記回答操作は、前記端末装置を振る操作であり、  前記受信手段は、前記振る操作が行われた際の前記端末装置の加速度又は前記端末装置が振られた回数の少なくとも何れか一方の操作値を特定するための操作値情報を更に受信し、  前記受信した操作値情報に基づいて特定した前記操作値から前記アンケートの回答内容のレベルを特定するレベル特定手段、を更に備え、  前記回答記憶手段は、前記レベル特定手段により特定されたレベルを、前記特定手段により特定された場面と対応付けて更に記憶することを特徴とするサーバ装置。
【請求項９】
請求項１に記載のサーバ装置であって、  前記回答者による前記回答操作は、前記端末装置を振る操作であり、  前記受信手段は、前記振る操作が行われた際の前記端末装置の加速度又は前記端末装置が振られた回数の少なくとも何れか一方の操作値を特定するための操作値情報を更に受信し、  前記受信した操作値情報に基づいて特定した前記操作値から前記回答操作が行われた時点での場面に対する前記回答者にとっての評価のレベルを特定するレベル特定手段と、  前記レベル特定手段により特定された評価のレベルを、前記特定手段により特定された場面と対応付けて記憶するレベル記憶手段と、  を更に備えることを特徴とするサーバ装置。
【請求項１０】
請求項８又は９に記載のサーバ装置であって、  前記受信手段が受信した前記操作値情報を記憶する操作値記憶手段と、  前記操作値記憶手段に記憶された前記操作値情報を参照し、前記アンケートの回答操作を行った回答者全体の操作値の平均を算出するとともに、前記アンケートの回答操作を行った何れか一の回答者の操作値の平均を算出する平均算出手段と、  前記平均算出手段により前記回答者全体について算出された操作値の平均と前記一の回答者について算出された操作値の平均との比率に基づいて、前記一の回答者の端末装置から送信された前記操作値情報で特定される前記操作値を補正する補正手段と、  を更に備え、  前記レベル特定手段は、前記補正手段により補正された前記操作値から前記レベルを特定することを特徴とするサーバ装置。
【請求項１１】
複数の場面で構成され、時間の経過に伴って該場面が移り変わる対象を鑑賞しつつ前記対象に関するアンケートに回答する回答者の端末装置から、前記アンケートの回答を収集するサーバ装置に含まれるコンピュータにより実行されるアンケート回答収集方法であって、  前記回答者が前記対象を鑑賞している際に前記アンケートに回答するための回答操作を行った前記端末装置から、前記回答操作が行われた時刻を取得するための操作信号を受信するステップと、  前記受信した操作信号に基づいて時刻を取得し、当該取得した時刻と、前記対象の各場面と時刻とを対応付けた場面情報とに基づいて前記アンケートの回答対象となった場面を特定するステップと、  を含むことを特徴とするアンケート回答収集方法。
【請求項１２】
複数の場面で構成され、時間の経過に伴って該場面が移り変わる対象を鑑賞しつつ前記対象に関するアンケートに回答する回答者の端末装置から、前記アンケートの回答を収集するサーバ装置に含まれるコンピュータを、  前記回答者が前記対象を鑑賞している際に前記アンケートに回答するための回答操作を行った前記端末装置から、前記回答操作が行われた時刻を取得するための操作信号を受信する受信手段、  前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、  として機能させるアンケート回答収集プログラムを記録したコンピュータ読み取り可能な記録媒体。
【請求項１３】
複数の場面で構成され、時間の経過に伴って該場面が移り変わる対象を鑑賞しつつ前記対象に関するアンケートに回答する回答者の端末装置から、前記アンケートの回答を収集するサーバ装置に含まれるコンピュータを、  前記回答者が前記対象を鑑賞している際に前記アンケートに回答するための回答操作を行った前記端末装置から、前記回答操作が行われた時刻を取得するための操作信号を受信する受信手段、  前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、  として機能させることを特徴とするアンケート回答収集プログラム。
【発明の詳細な説明】
【技術分野】
【０００１】  本発明は、複数の場面で構成され、時間の経過に伴って該場面が移り変わる対象に関するアンケートに回答する回答者からアンケートの回答を収集する装置等の技術分野に関する。
【背景技術】
【０００２】  従来、例えば映画の試写会などにおいて、上映した映画に関するアンケート調査が行われている。具体的には、各視聴者にアンケート用紙を配付し、映画の視聴後に記入してもらうなどの手法がとられている。ところが、この場合、視聴者は視聴した映画の全ての場面を覚えているわけではないため、強く印象に残った場面についてはアンケート結果に反映されるが、その他の場面（なんとなく良かった場面など）についてはアンケート結果に反映されないことが多い。【０００３】  一方で、メディア（テレビゲームなど）の各主要イベントに対する視聴者の生理学的反応や、各主要イベントのタイミングを測定することにより、視聴者がメディアに関心を持っている場面を測定する技術が開示されている（例えば、特許文献１参照）。
【先行技術文献】
【特許文献】
【０００４】
【特許文献１】特表２０１０−５２０５５４号公報
【発明の概要】
【発明が解決しようとする課題】
【０００５】  しかしながら、特許文献１に記載の技術では、アンケート調査を実施する者が調査したい内容に応じてその結果を取得することが困難である。一方で、アンケート調査においては、視聴者が興味を示す場面と興味を示さない場面の両方の場面の情報を収集するなど、場面に関する各種調査を行うことが多い。【０００６】  本発明は以上の点に鑑みてなされたものであり、映像や音楽、演劇などを視聴する視聴者から、アンケート調査を実施する者が調査したい内容に応じたアンケートの回答を正確に収集できるサーバ装置等を提供することを目的とする。
【課題を解決するための手段】
【０００７】  上記課題を解決するために、請求項１に記載の発明は、複数の場面で構成され、時間の経過に伴って前記場面が移り変わる対象を鑑賞しつつ前記対象に関するアンケートに回答する回答者の端末装置から、前記アンケートの回答を収集するサーバ装置であって、前記対象の各場面と時刻とを対応付けた場面情報を記憶する記憶手段と、前記回答者が前記対象を鑑賞している際に前記アンケートに回答するための回答操作を行った前記端末装置から、前記回答操作が行われた時刻を取得するための操作信号を受信する受信手段と、前記受信手段が受信した操作信号に基づいて時刻を取得し、当該取得した時刻と前記記憶手段の場面情報とに基づいて前記アンケートの回答対象となった場面を特定する特定手段と、を備えることを特徴とする。【０００８】  したがって、回答者は鑑賞している対象を構成する場面についてアンケートに回答しようとする場合に、その場面の最中に端末操作に対して回答操作を行えばよく回答が容易である。また、サーバ装置は、回答操作が行われた時刻から回答者がアンケートに回答した場面を特定できることから、場面に対するアンケートの回答を他の場面に対する回答と混同することなく、正確に収集することができる。【０００９】  請求項２に記載の発明は、請求項１に記載のサーバ装置であって、前記受信手段は、前記アンケートの回答内容を特定するための回答情報を更に受信し、前記受信手段が受信した回答情報に基づいて特定される前記アンケートの回答内容を、前記特定手段により特定された場面と対応付けて記憶する回答記憶手段、を更に備えることを特徴とする。【００１０】  請求項３に記載の発明は、請求項２に記載のサーバ装置であって、複数の異なる前記アンケートの回答内容にそれぞれ応じて複数の前記回答操作が定められており、前記回答情報は、前記回答操作に応じた前記アンケートの回答内容を特定するための情報であることを特徴とする。【００１１】  したがって、場面に対する複数種類の回答内容を得ることができる。これにより、アンケート調査の内容を充実させることができる。【００１２】  請求項４に記載の発明は、請求項１又は２に記載のサーバ装置であって、複数の前記対象がある場合に、各対象の種別を示す種別情報を前記端末装置に送信する種別情報送信手段を更に備え、前記記憶手段は、前記対象の種別毎に前記場面情報を記憶し、前記受信手段は、前記端末装置から、前記送信した種別情報に基づいて前記回答者により選択された対象の種別を示す選択種別情報を更に受信し、前記特定手段は、前記受信した操作信号に基づいて取得される時刻と、前記受信した選択種別情報の示す種別に対応する前記記憶手段の場面情報とに基づいて、前記対象の場面を特定することを特徴とする。【００１３】  したがって、回答者に評価されうる複数の対象が存在する場合であっても、回答者がアンケートの回答を行う対象を的確に把握することができる。【００１４】  請求項５に記載の発明は、請求項１又は２に記載のサーバ装置であって、前記記憶手段は、前記対象毎に当該対象が鑑賞されるべき位置を示す評価位置情報を当該対象と対応付けて更に記憶し、前記受信手段は、前記端末装置から前記端末装置の位置を示す端末��置情報と、アンケートの回答を行う対象を示す回答対象情報を更に受信し、前記受信した回答対象情報の示すアンケートの回答を行う対象と対応付けて前記記憶手段に記憶されている評価位置情報と、前記受信した端末位置情報とが異なる場合に、前記端末装置から送信された操作信号に基づくアンケートの回答は不正であると判定する位置不正判定手段を、更に備えることを特徴とする。【００１５】  したがって、回答者が実際に対象を鑑賞していないにもかかわらず、対象を鑑賞するべき位置とは異なる位置でアンケートに回答した場合に不正と判定することができる。【００１６】  請求項６に記載の発明は、請求項１又は２に記載のサーバ装置であって、前記特定手段により特定された対象の場面を示す情報を前記端末装置に送信する送信手段、を更に備え、前記受信手段は、前記特定された場面が前記アンケートの回答の対象とした場面であるか否かを示す、前記回答者による確認情報を前記端末装置から受信し、前記特定手段は、前記受信した確認情報が前記アンケートの回答の対象とした場面でないことを示す場合に、対象の場面を特定したことを取り消すことを特徴とする。【００１７】  したがって、回答者が実際にアンケートの回答を行った対象の場面と、サーバ側で特定した対象の場面が一致しているかを回答者に確認してもらうことができ、対象の場面の特定に係る精度を向上させることができる。【００１８】  請求項７に記載の発明は、請求項１又は２に記載のサーバ装置であって、前記受信手段は、前記回答者が前記対象を鑑賞している際に集音された音声データを前記端末装置から更に受信し、前記受信した音声データが、前記記憶手段により予め記憶されている前記対象の音声データの何れの部分にも該当しない場合に、端末装置からの操作信号が不正であると判定する音声不正判定手段を、更に備えることを特徴とする。【００１９】  したがって、回答者が実際に対象を視聴していないにもかかわらず、アンケートに回答した場合であっても、当該アンケートの回答を不正と判定することができる。【００２０】  請求項８に記載の発明は、請求項２に記載のサーバ装置であって、前記回答者による前記回答操作は、前記端末装置を振る操作であり、前記受信手段は、前記振る操作が行われた際の前記端末装置の加速度又は前記端末装置が振られた回数の少なくとも何れか一方の操作値を特定するための操作値情報を更に受信し、前記受信した操作値情報に基づいて特定した前記操作値から前記アンケートの回答内容のレベルを特定するレベル特定手段、を更に備え、前記回答記憶手段は、前記レベル特定手段により特定されたレベルを、前記特定手段により特定された場面と対応付けて更に記憶することを特徴とする。【００２１】  したがって、回答者が端末装置を振る操作を行った際の加速度又は振った回数の少なくとも何れか一方の操作値から、アンケートの回答内容のレベルを特定することができる。【００２２】  請求項９に記載の発明は、請求項１に記載のサーバ装置であって、前記回答者による前記回答操作は、前記端末装置を振る操作であり、前記受信手段は、前記振る操作が行われた際の前記端末装置の加速度又は前記端末装置が振られた回数の少なくとも何れか一方の操���値を特定するための操作値情報を更に受信し、前記受信した操作値情報に基づいて特定した前記操作値から前記回答操作が行われた時点での場面に対する前記回答者にとっての評価のレベルを特定するレベル特定手段と、前記レベル特定手段により特定された評価のレベルを、前記特定手段により特定された場面と対応付けて記憶するレベル記憶手段と、を更に備えることを特徴とする。【００２３】  したがって、回答者が端末装置を振る操作を行った際の加速度又は振った回数の少なくとも何れか一方の操作値から、場面に対する回答者にとっての評価のレベルを特定することができる。【００２４】  請求項１０に記載の発明は、請求項８又は９に記載のサーバ装置であって、前記受信手段が受信した前記操作値情報を記憶する操作値記憶手段と、前記操作値記憶手段に記憶された前記操作値情報を参照し、前記アンケートの回答操作を行った回答者全体の操作値の平均を算出するとともに、前記アンケートの回答操作を行った何れか一の回答者の操作値の平均を算出する平均算出手段と、前記平均算出手段により前記回答者全体について算出された操作値の平均と前記一の回答者について算出された操作値の平均との比率に基づいて、前記一の回答者の端末装置から送信された前記操作値情報で特定される前記操作値を補正する補正手段と、を更に備え、前記レベル特定手段は、前記補正手段により補正された前記操作値から前記レベルを特定することを特徴とする。【００２５】  したがって、回答者が端末装置を振る操作を行なう際の加速度又は振った回数の少なくとも何れか一方の操作値を補正することができ、回答者による振る操作を行う際の個人差を縮減することができる。【００２６】  請求項１１に記載の発明は、少複数の場面で構成され、時間の経過に伴って該場面が移り変わる対象を鑑賞しつつ前記対象に関するアンケートに回答する回答者の端末装置から、前記アンケートの回答を収集するサーバ装置に含まれるコンピュータにより実行されるアンケート回答収集方法であって、前記回答者が前記対象を鑑賞している際に前記アンケートに回答するための回答操作を行った前記端末装置から、前記回答操作が行われた時刻を取得するための操作信号を受信するステップと、前記受信した操作信号に基づいて時刻を取得し、当該取得した時刻と、前記対象の各場面と時刻とを対応付けた場面情報とに基づいて前記アンケートの回答対象となった場面を特定するステップと、を含むことを特徴とする。【００２７】  請求項１２に記載の発明は、複数の場面で構成され、時間の経過に伴って該場面が移り変わる対象を鑑賞しつつ前記対象に関するアンケートに回答する回答者の端末装置から、前記アンケートの回答を収集するサーバ装置に含まれるコンピュータを、前記回答者が前記対象を鑑賞している際に前記アンケートに回答するための回答操作を行った前記端末装置から、前記回答操作が行われた時刻を取得するための操作信号を受信する受信手段、前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、として機能させるアンケート回答収集プログラムを記録したコンピュータ読み取り可能な記録媒体である。【００２８】  請求項１３に記載の発明は、複数の場面で構成され、時間の経過に伴って該場面が移り変わる対象を鑑賞しつつ前記対象に関するアンケートに回答する回答者の端末装置から、前記アンケートの回答を収集するサーバ装置に含まれるコンピュータを、前記回答者が前記対象を鑑賞している際に前記アンケートに回答するための回答操作を行った前記端末装置から、前記回答操作が行われた時刻を取得するための操作信号を受信する受信手段、前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、として機能させることを特徴とするアンケート回答収集プログラムである。
【発明の効果】
【００２９】  本発明によれば、回答者は鑑賞している対象を構成する場面についてアンケートに回答しようとする場合に、その場面の最中に端末操作に対して回答操作を行えばよく回答が容易である。また、サーバ装置は、回答操作が行われた時刻から回答者がアンケートに回答した場面を特定できることから、場面に対するアンケートの回答を他の場面に対する回答と混同することなく、正確に収集することができる。
【図面の簡単な説明】
【００３０】
【図１】アンケートシステムの概要構成の一例を示す図である。
【図２】サーバの概要構成の一例を示すブロック図である。
【図３】会員ＤＢ１２１に登録される内容の一例を示す図である。
【図４】上映スケジュールＤＢ１２２に登録される内容の一例を示す図である。
【図５】アンケート結果ＤＢ１２３に登録される内容の一例を示す図である。
【図６】場面ＤＢ１２４に登録される内容の一例を示す図である。
【図７】一本の映画を複数の場面に分割した様子を示す例図である。
【図８】場面ＤＢ１２４に登録されるデータの一例を示す図である。
【図９】アンケートシステムのアンケート処理時の動作例を示すフローチャートである。
【図１０】場面毎に、面白いと回答した人数及びつまらないと回答した人数を棒グラフで示したアンケート結果の一例を示す図である。
【図１１】感想レベル取得テーブルの一例を示す図である。
【図１２】場面毎、感想内容毎、及び感想レベル毎に人数を集計したアンケート結果の一例を示す図である。
【発明を実施するための形態】
【００３１】  以下、図面を参照して本発明の実施形態について説明する。なお、以下に説明する実施の形態は、アンケートシステムＳのサーバ１に対して本発明を適用した場合の実施形態である。
【００３２】  ［１．アンケートシステムＳの構成］  先ず、図１を用いて本発明の本実施形態に係るアンケートシステムＳの構成について説明する。
【００３３】  図１に示すように、アンケートシステムＳは、サーバ１（「サーバ装置」の一例）と、携帯端末２（「端末装置」の一例）と、を含んで構成されている。なお、図１の例では、説明の便宜上、一つの携帯端末２を示しているが、実際には多数の携帯端末２がサーバ１と通信可能となっている。
【００３４】  サーバ１と携帯端末２とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３５】  アンケートシステムＳにおいて、サーバ１は、映画館などで映画を視聴中の視聴者からリアルタイムでアンケートの回答を収集し、視聴者が面白いと感じた場面（視聴者が興味を示した場面）やつまらないと感じた場面（視聴者が興味を示さなかった場面）などを特定する。具体的には、視聴者が所持する携帯端末２に、映画アンケート回答用のアプリケーションソフトウェア（以下、「映画アンケートアプリ」という）が予めインストールされており、視聴者が映画の視聴中に「面白い」又は「つまらない」と感じた場面で携帯端末２に対して所定の操作を行うことにより、携帯端末２から操作信号がサーバ１に送信される。サーバ１は、受信した操作信号に基づいて視聴者がどの場面を「面白い」又は「つまらない」と感じたかを特定する。
【００３６】  なお、映画アンケートアプリは、視聴者による携帯端末２に対する複数種類の操作（「面白い」に対応する操作と「つまらない」に対応する操作）に応じて、何れの種類の操作が行われたかを示す感想識別情報を含む操作信号を送信するようになっている。これに対してサーバ１は、受信した操作信号に含まれる感想識別情報に基づいて、操作信号に基づいて特定した場面を視聴者が「面白い」と感じたのか又は「つまらない」と感じたのかを特定する。
【００３７】  なお、携帯端末２が視聴者による携帯端末２に対する単一の操作（「面白い」に対応する操作又は「つまらない」に対応する操作）に応じて感想識別情報を含まない操作信号を送信してもよい。この場合、サーバ１は、受信した当該操作信号に基づいて特定した場面を視聴者が「面白い」と感じたのか又は「つまらない」と感じたのかを予め定められたアンケート方式に沿って特定する。すなわち、このアンケート方式は、視聴者に対して、「面白い」と思った場面でのみ携帯端末２を操作するように指示するか、また、「つまらない」と思った場面でのみ携帯端末２を操作するように指示しておく。これにより、アンケートの種類は制限されるが、上述した感想識別情報を必要としない。
【００３８】  また、携帯端末２の所持者は映画アンケートアプリを携帯端末２にダウンロードする際に、ダウンロードサイトから会員登録を行うようになっており、サーバ１は何れの会員（視聴者）が映画のアンケートに回答したかを識別できるようになっている。また、会員がアンケートに回答すると特典が付与されるようになっている。なお、会員登録については、映画アンケートアプリをダウンロードした後に、映画アンケートアプリから行うことができるようにしてもよい。
【００３９】  ［２．サーバ１の構成］  次に、サーバ１の構成について、図２〜図８を用いて説明する。
【００４０】  図２に示すように、サーバ１は、大別して、通信部１１と、記憶部１２と、システム制御部１３と、を備えている。
【００４１】  通信部１１は、ネットワークＮＷに接続して、携帯端末２との通信を制御するようになっている。
【００４２】  記憶部１２は、例えば、ハードディスクドライブ等により構成されており、オペレーティングシステムや、サーバ用のソフトウェア等の各種プログラムを記憶する。なお、各種プログラムは、例えば、他のサーバ装置等からネットワークＮＷを介して取得されるようにしても良いし、記録媒体に記録されてドライブ装置を介して読み込まれるようにしても良い。すなわち、記憶部１２に記憶される各種プログラム（後述するアンケート処理におけるサーバ１側の処理を実行するためのプログラムを含む）は、ネットワークＮＷを介して伝送可能であるし、また、コンピュータ読み取り可能な記録媒体に記録して譲渡することが可能である。
【００４３】  また、記憶部１２には、会員データベース（ＤＢ（Database））１２１、上映スケジュールＤＢ１２２、アンケート結果ＤＢ１２３及び場面ＤＢ１２４が構築されている。
【００４４】  図３に示す会員ＤＢ１２１には、会員登録された会員（映画の視聴者（評価者））の会員ＩＤ、パスワード、性別、年齢、及びメールアドレス等の会員情報が登録されている。
【００４５】  図４に示す上映スケジュールＤＢ１２２には、アンケート対象となる映画の映画ＩＤ、上映場所、上映開始時刻及び上映終了時刻等が登録されている。上映場所としては、映画を上映する施設の住所や緯度・経度などが登録される。また、同一施設内又は同一緯度・同一経度の位置に複数のスクリーンがある場合には、スクリーンの種別も登録される。
【００４６】  図５に示すアンケート結果ＤＢ１２３には、アンケートの回答を行った会員の会員ＩＤ、アンケート対象となった映画の映画ＩＤ、会員がアンケートの回答を行った場面（「面白い」又は「つまらない」と感じた場面）の場面ＩＤ及びその回答内容（「面白い」と感じたか、又は「つまらない」と感じたかといった感想）などが登録される。これにより、何れの会員が何れの映画の何れの場面について「面白い」又は「つまらない」と感じたかを特定することができる。
【００４７】  図６に示す場面ＤＢ１２４には、アンケート対象となる映画の映画ＩＤ及び場面ＩＤに応じて、場面開始時刻及び場面終了時刻が登録されている。具体的には、図７に示すように、一本の映画をその内容等に応じて複数の場面に分割することにより、各場面の開始時刻及び終了時刻が決定されるので、各場面について場面ＩＤを割り当て、図８に示すように、当該映画の映画ＩＤ及び割り当てた場面ＩＤと対応付けて、各場面の開始時刻及び終了時刻を場面ＤＢ１２４に登録する。これにより、場面ＤＢ１２４を参照することにより、上映開始時刻からの経過時間から、その時点における場面に対応する場面ＩＤを特定することができる。また、上映場所と上映時刻が特定できる場合には上映スケジュールＤＢ１２２を合わせて参照することにより、現在時刻に基づいて上映開始時刻からの経過時間を算出し、対応する場面を特定することもできる。なお、記憶部１２は、本発明の「記憶手段」、「回答記憶手段」の一例である。
【００４８】  システム制御部１３は、ＣＰＵ（Central Processing Unit）１３ａ、ＲＯＭ（Read Only Memory）１３ｂ、ＲＡＭ（Random Access Memory）１３ｃ等により構成され、コンピュータとして機能する。そして、ＣＰＵ１３ａが、ＲＯＭ１３ｂや記憶部１２に記憶された各種プログラムを読み出し実行することにより各種機能を実現する。なお、システム制御部１３は、本発明の「受信手段」、「特定手段」、「種別情報送信手段」の一例である。
【００４９】  なお、サーバ１を、例えば、各種データベースを管理するサーバ、映画の場面を特定する処理を行う場面特定処理サーバ、各種情報を提供するＷＷＷサーバ等の複数のサーバ装置により構成しても良い。
【００５０】  ［３．携帯端末２の構成］  携帯端末２は、図示しないが、例えば、ＣＰＵ、ＲＡＭ、ＲＯＭ等を有するシステム制御部と、記憶部と、サーバ１等との間で通信を行うための通信部と、所持者により操作される操作部と、Ｗｅｂページや操作画面等を表示する表示部と、加速度センサーと、集音部とを備えている。なお、携帯端末２の一例として、ユーザが利用するコンピュータ、スマートフォン、ＰＤＡ（Personal Digital Assistant）、携帯電話機等がある。
【００５１】  加速度センサーは、少なくとも水平方向及び垂直方向の加速度を測定する。携帯端末２のシステム制御部は、加速度センサーにより測定された加速度及びその方向に基づいて、携帯端末２が水平方向に移動させられたか（振られたか）、又は垂直方向に移動させられたか（振られたか）を判別することができる。映画アンケートアプリにおいては、携帯端末２を水平方向に移動させる（携帯端末２を水平方向に振る）操作が「面白い」に対応しており、一方、携帯端末２を垂直方向に移動させる（携帯端末２を垂直方向に振る）操作が「つまらない」に対応している。なお、映画アンケートアプリの起動中に、視聴者により、面白い場面で行われる「面白い」に対応する操作又はつまらない場面で行われる「つまらない」に対応する操作等をアンケート回答操作という。携帯端末２を水平又は垂直方向に移動させる操作はアンケート回答操作の一例である。なお、加速度センサーとして３軸加速度センサーを用いることができる。
【００５２】  携帯端末２のシステム制御部は、時刻管理プログラムにより現在時刻を管理する。例えば、ネットワークＮＷを介して接続された時計サーバから現在時刻を取得するなど、公知の現在時刻取得方法を用いて現在時刻を管理する。
【００５３】  ［４．アンケートシステムＳにおけるアンケート処理時における動作］  次に、図９に示すフローチャートを用いて、アンケート処理時におけるサーバ１及び携帯端末２の動作について説明する。なお、図９に示すアンケート処理は、映画を視聴する視聴者が、映画の開始前に携帯端末２の映画アンケートアプリを起動した後に実行される。
【００５４】  まず、携帯端末２のシステム制御部は、映画を視聴する視聴者に対して認証情報（会員ＩＤ及びパスワード）の入力を促し、入力された認証情報をサーバ１に送信する（ステップＳ１Ａ）。これに対してサーバ１のシステム制御部１３は、受信した認証情報と、会員ＤＢ１２１に登録されている会員ＩＤ及びパスワードとに基づいて認証処理を行う（ステップＳ１Ｂ）。
【００５５】  次に、携帯端末２のシステム制御部は、視聴者による端末操作を受けて視聴者が視聴する映画（アンケートの回答対象となる映画）の映画ＩＤ及び上映場所を示す上映場所情報をサーバ１に送信する（ステップＳ２Ａ）。このとき、携帯端末２のシステム制御部は、アンケートの対象となっている映画のリストをアプリ起動時にサーバ１から予め受信し、そのリストを視聴者に提示した上で視聴する映画を選択させる。なお、視聴者が予めアンケートの対象となっている映画の映画ＩＤ又はタイトルを知っている場合には、視聴者により入力された映画ＩＤ又はタイトルから特定される映画ＩＤを送信することとしてもよい。これに対してサーバ１のシステム制御部１３は、受信した映画ＩＤ及び上映場所情報に基づいて、ステップＳ１Ｂの処理において認証した会員が視聴する映画及び上映場所を特定する（ステップＳ２Ｂ）。なお、ここまでの処理は、視聴者が映画の視聴を開始するまでに行われるのが好ましい。
【００５６】  次いで、携帯端末２のシステム制御部は、映画が終了するまで視聴者により携帯端末２を水平方向（「面白い」に対応）又は垂直方向（「つまらない」に対応）に移動させるアンケート回答操作が行われるのを監視する（ステップＳ３Ａ：ＮＯ、ステップＳ５Ａ：ＮＯ）。そして、アンケート回答操作が検出された場合には（ステップＳ３Ａ：ＹＥＳ）、水平方向又は垂直方向の何れの方向に移動させられたかに応じた「面白い」又は「つまらない」に対応する感想識別情報と、現在時刻を示す時刻情報とを含む操作信号をサーバ１に送信する（ステップＳ４Ａ）。なお、携帯端末２のシステム制御部は操作信号を送信する際に、サーバ１側で他の携帯端末２から送信された操作信号と識別できるように送信元情報（例えば、会員ＩＤ、端末識別情報）を合わせて送信する。
【００５７】  また、携帯端末２のシステム制御部は、映画が終了したと判別すると（ステップＳ５Ａ：ＹＥＳ）、本フローチャートにおける処理を終了する。なお、映画が終了したか否かについては、予めサーバ１から映画の上映終了時刻を取得しておき判別することとしてもよいし、視聴者による映画終了時に行われるべき終了操作に基づいて判別することとしてもよい。
【００５８】  一方、サーバ１のシステム制御部１３は、ステップＳ２Ｂの処理後、映画が終了するまで携帯端末２からの操作信号の受信を待機する（ステップＳ３Ｂ：ＮＯ、ステップＳ７Ｂ：ＮＯ）。システム制御部１３は、操作信号を受信すると（ステップＳ３Ｂ：ＹＥＳ）、操作信号に含まれる時刻情報に基づいて、視聴者がアンケート回答操作を行った際の時刻を取得する（ステップＳ４Ｂ）。
【００５９】  次に、システム制御部１３は、ステップＳ２Ｂの処理で特定した映画及び上映場所に基づいて、ステップＳ４Ｂの処理で取得した時刻に対応する場面の場面ＩＤを特定する（ステップＳ５Ｂ）。例えば、上映開始時刻が１５時００分００秒である映画の場合であって、取得した時刻が１５時４０分１５秒である場合には、図６に示す場面ＤＢ１２４を参照して、４０分１５秒経過時点での場面ＩＤを特定する。また、システム制御部１３は、特定した場面ＩＤに対応する場面に対して視聴者がどのような感想を持ったかを、操作信号に含まれる感想識別情報に基づいて特定する。
【００６０】  次に、システム制御部１３は、ステップＳ１Ｂの処理で認証した会員ＩＤと、ステップＳ２Ｂの処理で特定した映画の映画ＩＤと、ステップＳ５Ｂの処理で特定した映画の場面の場面ＩＤと、受信した操作信号に含まれる感想識別情報に基づいて特定した視聴者の感想（アンケートの回答内容）と、を対応付けたデータをアンケート結果ＤＢ１２３に追加する（ステップＳ６Ｂ）。システム制御部１３は、映画が終了したと判別すると（ステップＳ７Ｂ：ＹＥＳ）、本フローチャートにおける処理を終了する。
【００６１】  以上説明したように、本実施形態のサーバ１は、記憶部１２（本発明の「記憶手段」の一例）が、映画（本発明の「対象」の一例）の各場面と時刻とを対応付ける場面ＤＢ１２４（本発明の「場面情報」の一例）を記憶し、システム制御部１３（本発明の「受信手段」、「特定手段」の一例）は、視聴者（本発明の「回答者」の一例）が映画を視聴している際にアンケートに回答するためにアンケート回答操作を行った携帯端末２（本発明の「端末装置」の一例）からアンケート回答操作が行われた時刻を取得するための操作信号を受信し、当該受信した操作信号に基づいて時刻を取得し、当該取得した時刻と場面ＤＢ１２４とに基づいてアンケートの回答対象となった場面を特定する。
【００６２】  したがって、アンケートシステムＳによれば、視聴者は視聴している映画を構成する場面についてアンケートに回答しようとする場合に、その場面の最中に携帯端末２に対してアンケート回答操作を行えばよく回答が容易である。よって、視聴者にとって強く印象に残った場面のみならず、何となく良かった場面などもアンケートの回答として収集することができる。また、サーバ１は、アンケート回答操作が行われた時刻から視聴者がアンケートに回答した場面を特定できることから、場面に対するアンケートの回答を他の場面に対する回答と混同することなく、正確に収集することができる。さらに、図９のステップＳ５Ｂ及びステップＳ６Ｂの処理を、操作信号を受信した際に実行することで、リアルタイムでアンケートの回答を収集することができる。
【００６３】  また、本実施形態において、サーバ１のシステム制御部１３は、アンケートの回答内容（すなわち、「面白い」又は「つまらない」）を特定するための感想識別情報（本発明の「回答情報」の一例）を受信し、記憶部１２のアンケート結果ＤＢ１２３は、受信した感想識別情報に基づいて特定される「面白い」又は「つまらない」という回答内容を、時刻に基づいて特定された場面と対応付けて記憶する。これにより、アンケートの回答対象となった場面に対するアンケートの回答内容を収集することができる。また、図１０に示すように、アンケート結果ＤＢ１２３に登録されたデータに基づいて、場面ＩＤ毎に、「面白い」又は「つまらない」という回答内容が登録されている件数をそれぞれ集計することで、「面白い」という回答が多かった場面や、「つまらない」という回答が多かった場面を特定することができる。
【００６４】  また、本実施形態において、「面白い」又は「つまらない」というアンケートの回答内容にそれぞれ応じて、水平方向又は垂直方向に携帯端末２を振るアンケート回答操作が定められており、感想識別情報は、アンケート回答操作に応じたアンケートの回答内容を特定するための情報である。したがって、アンケートの回答対象となった場面について、「面白い」又は「つまらない」という異なる内容の回答内容を識別して取得することができ、アンケートの調査の内容を充実させることができる。
【００６５】  また、サーバ１のシステム制御部１３（本発明の「種別情報送信手段」の一例）は、複数の映画がアンケートの対象である場合に、それぞれの映画の種別（本発明の「種別情報」の一例）を示す映画リストを携帯端末２に送信する。また、記憶部１２の場面ＤＢ１２４は、映画の種別毎に各場面の開始時刻及び終了時刻を記憶しており、システム制御部１３は、携帯端末２から、先に送信した映画リストに基づいて視聴者により選択された映画の種別を示す映画ＩＤ（本発明の「選択種別情報」の一例）を受信し、受信した操作信号に基づいて取得する時刻と、受信した映画ＩＤに対応する各場面の開始時刻及び終了時刻とに基づいて、映画の場面を特定する。これにより、視聴者に評価されうる（アンケートの対象となる）映画が複数存在する場合であっても、視聴者がアンケートを回答する映画を的確に把握することができる。
【００６６】  また、本実施形態のアンケートシステムＳによれば、視聴者は映画の視聴中に何度でもアンケート回答操作を行うことができるため、視聴者が「面白い」又は「つまらない」と感じた多くの場面を特定することができる。
【００６７】  アンケートシステムＳは、映画などの試写会において実施されるアンケートに採用すると有効である。例えば、試写会でエンディングの内容が異なる２本の映画を上映し、アンケート結果で評判の良かったエンディング、すなわち、エンディングに対応する場面について「面白い」という評価が多かったエンディングを、公開時のエンディングに採用することができる。
【００６８】  また、アンケートシステムＳは、映画館などの施設で上映される映画に限らず、例えば、テレビ放送で上映される映画やドラマについても適用することができる。この場合、アンケートを回答するための専用機器を各世帯に設置しなくても、アンケートを行うことができる。
【００６９】  ［５．変形例］  ［５．１．不正対策１］  なお、サーバ１の記憶部１２に、映画毎に当該映画が上映される上映場所（本発明の「鑑賞されるべき位置」）を示す評価位置情報を当該映画と対応付けて記憶させ、システム制御部１３（本発明の「位置不正判定手段」の一例）が、携帯端末２から当該携帯端末２の位置を示す端末位置情報と、アンケートの回答を行う映画を示す回答対象情報を受信し、当該受信した回答対象情報の示すアンケートの回答を行う映画と対応付けて記憶部１２に記憶されている評価位置情報と、当該受信した端末位置情報とが異なる場合に、携帯端末２から送信された操作信号に基づくアンケートの回答は不正であると判定する構成としてもよい。この構成とした場合、視聴者が実際に映画を視聴していないにもかかわらず、映画が上映される位置とは異なる位置でアンケートに回答した場合に、その回答を不正と判定することができる。
【００７０】  ［５．２．視聴者による場面の確認］  また、サーバ１のシステム制御部１３（本発明の「送信手段」の一例）は、ステップＳ５Ｂの処理で特定した映画の場面に対応する音映像データ（本発明の「対象の場面を示す情報」の一例）を携帯端末２に送信することにより、携帯端末２にてその音映像データを視聴した視聴者に、その場面がアンケートの回答の対象とした場面であるか否かを判定してもらい、その判定結果を示す確認情報を携帯端末２から送信してもらう。そして、システム制御部１３は、受信した確認情報がアンケートの回答の対象とした場面でないことを示す場合に、ステップＳ５Ｂの処理で映画の場面を特定したことを取り消す構成としてもよい。この構成とした場合、視聴者が実際にアンケートの回答を行った映画の場面と、サーバ１側で特定した映画の場面が一致しているか否かを視聴者に確認してもらうことができ、映画の場面の特定に係る精度を向上させることができる。なお、音映像データは予め記憶部１２に記憶させておくこととする。また、本発明の「対象の場面を示す情報」として、ステップＳ５Ｂの処理で特定した映画の場面に対応する音データを送信することとし、視聴者には送信した音データを聴いてもらい、その場面がアンケートの回答をした場面と一致するか否かを判定してもらうこととしてもよい。この場合、表示部を備えていない携帯端末２であっても特定した場面を視聴者に確認してもらうことができる。また、音映像データと比較してデータ量の少ない音データを送信するため送信コストを抑えることができる。
【００７１】  ［５．３．不正対策２］  また、サーバ１のシステム制御部１３（本発明の「音声不正判定手段」の一例）は、視聴者が映画を視聴している際に集音された音声データを携帯端末２から送信してもらい、受信した音声データが記憶部１２により記憶されている音映像データの何れの部分にも該当しない場合に、携帯端末２からの操作信号に基づくアンケートの回答を不正であると判定する構成としてもよい。この構成とした場合、視聴者が実際に映画を視聴していないにもかかわらず、アンケートに回答した場合であっても、当該アンケートの回答を不正と判定することができる。なお、この構成とする場合も、音映像データは予め記憶部１２に記憶させておくこととする。
【００７２】  ［５．４．音映像データによる場面の特定］  また、本実施形態においては、映画をその内容などに応じて複数の場面に分割し、それぞれの場面と時刻とを対応付けた場面ＤＢ１２４を記憶部１２に記憶させておき、システム制御部１３は、操作信号から取得した時刻が何れの場面に対応しているかに基づいて場面を特定する構成としたが、記憶部１２に、アンケートの対象となる映画の音動画データを記憶させておき、システム制御部１３は、操作信号から取得した時刻に対応する音動画データにおけるフレームを取得することにより、映画の一場面を特定することとしてもよい。なお、この場合には、映画の上映開始時刻を考慮した上でフレームを取得する必要がある。
【００７３】  ［５．５．サーバ１の現在時刻を使用］  また、本実施形態においては、携帯端末２が、アンケート回答操作が行われた際の時刻を操作信号とともにサーバ１に送信し、一方、サーバ１のシステム制御部１３が、受信したその時刻をステップＳ４Ｂの処理で取得する構成としている。これに替えて、サーバ１のシステム制御部１３は、携帯端末２から時刻を受信せず、操作信号を受信した際の時刻を独自にステップＳ４Ｂの処理で取得する（例えば、サーバ１が管理する現在時刻を取得する）構成としてもよい。この場合、独自に時刻を管理していない携帯端末２からでも、視聴者はアンケートに回答することができる。
【００７４】  ［５．６．アンケート回答操作の多様化］  また、本実施形態においては、アンケート回答操作として、携帯端末２を水平又は垂直方向に移動させる操作の２種類を例示したが、これらの操作を携帯端末２の表面を上向きにして行う場合と下向きにして行う場合とで区別することにより、４種類にすることもできる。これにより、面白い場面及びつまらない場面に加えて、泣ける場面や怖い場面などをアンケートの回答をする場面として追加することができ、多様な回答を収集することができる。また、携帯端末２を水平又は垂直方向に移動させる操作の代わりに、表示部にアンケートの回答内容（例えば、面白い、つまらない、泣ける、怖い等）をカーソルなどで選択可能に表示して、視聴者に何れかを選択させるようにしてもよい。更に、予めアンケートの回答内容と操作部のボタンとをそれぞれ対応付けておき、視聴者に何れかを押下させるようにしてもよい。
【００７５】  ［５．７．アンケートの回答を登録する処理の先延ばし］  また、本実施形態においては、映画の上映時までにサーバ１の記憶部１２の場面ＤＢ１２４にアンケートの対象となる映画に関する場面ＩＤ、場面開始時刻及び場面終了時刻が予め登録されており、サーバ１のシステム制御部１３が、視聴者の携帯端末２から送信された操作信号に基づいて図９のステップＳ５Ｂの処理及びステップＳ６Ｂの処理を映画の上映中に行う構成としたが、これに替えて、ステップＳ５Ｂの処理及びステップＳ６Ｂの処理を映画の上映終了後に行う構成とすることもできる。但し、サーバ１のシステム制御部１３は、映画の上映中に受信した操作信号に含まれる時刻情報、感想識別情報、送信元情報を記憶部１２に記憶させておくこととする。この構成によれば、映画の上映時までに場面ＤＢ１２４に場面ＩＤ、場面開始時刻及び場面終了時刻を登録させられない場合であっても、登録した後であれば、映画の上映中に記憶部１２に記憶させた時刻情報、感想識別情報に基づいて、ステップＳ５Ｂの処理及びステップＳ６Ｂの処理それぞれに対応する処理、すなわち映画の場面及びその場面に対する回答内容を特定し、アンケート結果ＤＢ１２３にデータを追加する処理をいつでも行うことができる。なお、この構成は、生演奏で行われる演劇やコンサートなど、予め音映像データを準備することができない視聴対象についてアンケートの回答を収集する場合に有効である。
【００７６】  また、［５．４．音映像データによる場面の特定］にて説明したように、音映像データから場面を特定する構成とした場合において、例えば、アンケートの対象がコンサートである場合には、そのコンサート中に、サーバ１のシステム制御部１３が視聴者の携帯端末２から操作信号を受信して時刻情報及び感想識別情報を記憶部１２に記憶させる一方、サーバ１とは異なる録画装置がコンサート会場でのコンサートの模様を録画する。そして、コンサート終了後に、サーバ１のシステム制御部１３は、録画装置により録画された音映像データと、コンサート中に記憶部１２に記憶させた時刻情報及び感想識別情報とに基づいて、コンサートの場面及びその場面に対する回答内容を特定し、アンケート結果ＤＢ１２３に追加する処理を行うこととしてもよい。
【００７７】  ［５．８．不正対策３］  また、実際に映画を視聴していない者がアンケートに回答できないように、映画館に、携帯端末２が受信可能な信号を送信する信号送信機（例えば、通信規格としてBluetooth（登録商標））を採用する無線送信機）を設置し、当該信号を受信した携帯端末２からのみアンケートに回答できるようにしてもよい。
【００７８】  ［５．９．サーバでアンケートの回答内容を識別する］  また、上述した実施例では、携帯端末２が、加速度センサーから出力される信号を「面白い」又は「つまらない」などを示す感想識別情報に変換して操作信号に含ませてサーバ１に送信する構成としているがこれに限らない。例えば、携帯端末２が、加速度センサーから出力される信号（垂直方向又は水平方向の加速度を示す信号）をそのままサーバ１に送信し、サーバ１がこの加速度を示す信号を「面白い」又は「つまらない」などを示す感想識別情報に変換するようにしてもよい。
【００７９】  ［５．１０．感想レベルの取得］  また、上述した実施例では、視聴者が携帯端末２を水平方向（「面白い」に対応）又は垂直方向（「つまらない」に対応）に振ったかに応じて、視聴者がその場面を面白いと感じたか又はつまらないと感じたかをアンケートの回答として収集することとしているが、視聴者が携帯端末２を振った際の加速度や振った回数などから、面白い又はつまらないと感じた度合い（レベル）を更に収集することとしてもよい。これは、視聴者がとても面白いと感じた場面では、少し面白いと感じた場面よりも、携帯端末２を素早く振ったり、振る回数が多くなったりするとの考えに基づく。これにより、従来のアンケート用紙を用いたアンケートのように、各場面について面白さ又はつまらなさを５段階評価してもらうことを、アンケートシステムＳで実現することができる。なお、この場合には、面白さ又はつまらなさの度合いが大きいときほど、携帯端末２を素早く振ったり、回数を多く振ったりするように、予め視聴者に知らせておくのが好ましい。
【００８０】  具体的には、図９のステップＳ３Ａにおいて、携帯端末２の制御部は、アンケート回答操作を検出した場合に、アンケート回答操作が行われた際の、加速度及び振った回数を示す操作値情報を取得する。なお、携帯端末２の制御部は、操作値情報に含ませる加速度として、アンケート回答操作が行われた際の最大加速度を取得することとしてもよいし、または、アンケート回答操作が行われた際の平均加速度を取得することとしてもよい。そして、図９のステップＳ４Ａにおいて、携帯端末２の制御部は、操作値情報と、感想識別情報と、現在時刻を示す時刻情報とを含む操作信号をサーバ１に送信する。
【００８１】  一方、サーバ１のシステム制御部１３（本発明の「レベル特定手段」の一例）は、操作信号を受信すると（ステップＳ３Ｂ：ＹＥＳ）、操作信号に含まれる操作値情報に基づいて、感想識別情報の示す視聴者の感想（面白い又はつまらないという感想）について強弱の度合い（以下、「感想レベル」という。）を取得する。システム制御部１３は、感想レベルを取得すると、これを、視聴者の感想と対応付けてアンケート結果ＤＢ１２３に登録する。なお、当該変形例におけるアンケート結果ＤＢ１２３には、会員ＩＤ、映画ＩＤ、アンケートの回答対象となった場面の場面ＩＤ、回答内容（面白い又はつまらない）、の他に感想レベルが対応付けて登録される。これにより、アンケート結果ＤＢ１２３を参照することで、何れの会員が、何れの映画における何れの場面について、何れの感想レベルで面白い又はつまらないと感じたかを特定することができる。この場合のアンケート結果ＤＢ１２３が構築される記憶部１２は、本発明の「レベル記憶手段」の一例である。
【００８２】  システム制御部１３が感想レベルを取得する手法にとしては、例えば、図１１に示すような感想レベル取得テーブルを予め作成しておき、操作値情報に含まれる加速度と携帯端末２を振った回数に基づいて、感想レベル「１」〜「５」を取得する手法を用いることができる。図１１に示す感想レベル取得テーブルは、加速度が大きい程、また、携帯端末２を振った回数が多いほど、取得される感想レベルが高くなるように規定されている。また、感想レベルは値が大きいほど感想についての強弱が強いことを示している。なお、システム制御部１３は、アンケート回答操作が行われた際の加速度及び振った回数に、携帯端末２の移動距離（すなわち、振り幅）を更に加えて、これら３つの要素から感想レベルを取得することとしてもよい。また、システム制御部１３は、これら３つの要素うち少なくとも何れか一方の要素に基づいて感想レベルを取得することとしてもよい。また、システム制御部１３は、その他の手法に基づいて感想レベルを取得することとしてもよい。このように、システム制御部１３は、感想レベルをアンケート結果ＤＢ１２３に登録することにより、後に、場面ＩＤ毎、「面白い」又は「つまらない」という回答内容毎に、各感想レベルについて登録されている件数をそれぞれ集計することで、図１２に示すように、「面白い」と回答した視聴者のうち感想レベル「５」の面白さを感じた人数や、感想レベル「１」のつまらなさを感じた人数などをそれぞれ特定することができる。
【００８３】  また、例えば、システム制御部１３は、加速度及び携帯端末２を振った回数をそれぞれ無次元化した上で、あるいはそのままの状態で値を合算又は積算し、次いで、予めこの合算値又は積算値と比較するために規定された、「１」〜「５」の各感想レベルを区切る各境界値と、合算値又は積算値とを比較し、合算値又は積算値が何れの境界値と境界値の間に含まれるかに応じて、感想レベルを取得することとしてもよい。
【００８４】  ところで、感想レベル「５」の面白さを感じた視聴者が最も多かった場面を特定することを目的とする場合や、感想レベル「３」以上のつまらなさを感じた視聴者が最も多かった場面を特定することを目的とする場合など、複数の視聴者の感想レベルを集計する場合には、システム制御部１３は、それぞれの感想レベルを取得する際に、アンケート回答操作時において各視聴者が携帯端末２を振る際の個人差を考慮し、加速度及び携帯端末２を振った回数の少なくとも何れか一方を補正することが好ましい。これは、各視聴者が同じ程度に面白いと感じた場面でも、それぞれ携帯端末２を振る際の加速度や振った回数が異なるはずであるとの考えに基づく。例えば、複数の場面についてアンケート回答操作を行った視聴者Ａと視聴者Ｂが存在する場合に、視聴者Ａの各アンケート回答操作時の加速度から算出した平均加速度が「0.5m/s2」であり、視聴者Ｂの各アンケート回答操作時の加速度から算出した平均加速度が「0.8m/s2」であれば、同じ程度に面白いと感じた場面についても、視聴者Ｂの方が、加速度が大きくなるように携帯端末２を振る傾向があると考えられる。そこで、システム制御部１３は、アンケート回答操作を行う際の個人差を考慮した上で、視聴者が同じ程度に面白い又はつまらないと感じた場面については同じ感想レベルが取得できるように、加速度や振った回数等のデータを補正して感想レベルを取得することとする。なお、当然のことではあるが、ある特定の視聴者にとって最も面白かった場面（感想レベル「５」の場面）を特定する場合などには、こうした補正は不要である。
【００８５】  補正の方法としては、公知の手法を採用することができ、例えば、平均値、分散、標準偏差、中央値、最頻値等を用いる手法を採用することができる。例えば、分散を考慮して視聴者Ａの加速度を下記式に従って補正（正規化）することができる。      Ｚ＝(Ｘ−μ)／σ  μ：視聴者Ａのアンケート回答操作時における加速度の算術平均  σ：視聴者Ａのアンケート回答操作時における加速度から算出した標準偏差  Ｘ：正規化すべき加速度  Ｚ：正規化された加速度
【００８６】  さらにここで、補正の方法の一例として、加速度を補正する場合について説明する。まず前提として、システム制御部１３は、各視聴者の端末装置２から受信した操作値情報を全て記憶部１２等に保存しておくこととする。そして、システム制御部１３（本発明の「平均算出手段」の一例）は、定期的に、保存しておいた全ての過去の操作値情報を参照して、視聴者全体の平均加速度を算出するとともに、各視聴者の平均加速度を算出しておく。また、システム制御部１３は、視聴者毎に、該視聴者の平均加速度を基準に視聴者全体の平均加速度の比率（「補正比率」という。）を算出しておく。そして、システム制御部１３（本発明の「補正手段」の一例）は、実際に、ある一の視聴者Ｃの携帯端末２から操作値情報を受信し、感想レベルを取得する際には、当該一の視聴者Ｃについて算出しておいた比率を、受信した操作値情報に含まれる加速度に乗算することにより加速度を補正することとする。例えば、システム制御部１３は、過去の操作値情報から視聴者全体の平均加速度を「0.5m/s2」と算出し、視聴者Ｃの平均加速度を「0.8m/s2」と算出した場合には、視聴者Ｃについて補正比率「５／８」を算出する。そして、システム制御部１３は、視聴者Ｃの携帯端末２から操作値情報を受信した場合には、受信した操作値情報に含まれる加速度に補正比率「５／８」を乗算して、加速度を補正することとする。このように、システム制御部１３は、視聴者全体の平均加速度と、視聴者個人の平均加速度の比率に基づいて、各視聴者の感想レベルを取得する際の基となる加速度を補正することとする。なお、システム制御部１３は、振った回数についても加速度と同様に補正することとする。
【００８７】  なお、各場面について「面白い」及び「つまらない」の双方の回答を得るのではなく、単に、各視聴者から各場面について５段階評価をしてもらい、当該評価値（「場面に対する回答者にとっての評価のレベル」の一例）を記憶部１２に記憶させることとしてもよい。これにより、例えば、各場面に対する視聴者の５段階評価値を取得することができ、例えば、各場面の平均評価値を取得することができる。この場合、アンケート回答操作は携帯端末２を振るだけでよく、携帯端末２の制御部は、アンケート回答操作時の加速度及び振った回数を特定するための操作値情報を、サーバ１に送信する。サーバ１のシステム制御部１３（本発明の「レベル特定手段」の一例）は、受信した操作値情報から加速度及び振った回数を特定し、上述した補正を行った上で、感想レベル「１」〜「５」を５段階評価の評価値として取得し、該当する場面と対応付けて記憶部１２（本発明の「レベル記憶手段」の一例）に記憶させる。なお、ここでは５段階評価について説明したが、３段階又は７段階など何段階に区分してもよい。但し、感想レベル取得テーブルは適宜、修正する必要がある。また、複数の項目（例えば、「アクション度」、「泣ける度」、「恐い度」、「笑える度」など）について、５段階評価をしてもらうこととしてもよい。この場合、項目毎にアンケート回答操作を割り当てておき、視聴者によるアンケート回答操作が何れの項目に対するものであるかを識別できるようにしておく必要がある。
【００８８】  また、システム制御部１３は、映画の後半に属する各場面については、前半に属する各場面よりも評価者の反応が小さくなる傾向にあると考えられるので、アンケート回答操作がなされた場合に、加速度及び携帯端末２を振った回数の少なくとも何れか一方について、当該傾向から経験的に得られる所定の係数を乗算し、数値が大きくなるように補正することとしてもよい。
【００８９】  ［５．１１．異常回答の除外］  また、システム制御部１３は、アンケート結果の精度を高めるために、例えば、アンケート回答操作が異常に多い又は少ないアンケート回答者による回答については、アンケート結果を集計する際に除外することとしてもよい。
【符号の説明】
【００９０】１  サーバ１１  サーバ／通信部１２  サーバ／記憶部１３  サーバ／システム制御部１２１  会員ＤＢ１２２  上映スケジュールＤＢ１２３  アンケート結果ＤＢ１２４  場面ＤＢ２  携帯端末ＮＷ  ネットワークＳ  アンケートシステム
【図１】
2012043735.tif 000003
【図２】
2012043735.tif 000004
【図３】
2012043735.tif 000005
【図４】
2012043735.tif 000006
【図５】
2012043735.tif 000007
【図６】
2012043735.tif 000008
【図７】
2012043735.tif 000009
【図８】
2012043735.tif 000010
【図９】
2012043735.tif 000011
【図１０】
2012043735.tif 000012
【図１１】
2012043735.tif 000013
【図１２】
2012043735.tif 000014
【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段と、
前記対象の各場面と時刻とを対応付けた場面情報を記憶する記憶手段と、
前記受信手段が受信した操作信号に基づいて時刻を取得し、当該取得した時刻と前記記憶手段の場面情報とに基づいて前記アンケートの回答対象となった場面を特定する特定手段と、
を備えることを特徴とするサーバ装置。
【請求項２】
請求項１に記載のサーバ装置であって、
前記受信手段は、前記アンケートの回答内容を特定するための回答情報を更に受信し、
前記受信手段が受信した回答情報に基づいて特定される前記アンケートの回答内容を、前記特定手段により特定された場面と対応付けて記憶する回答記憶手段、
を更に備えることを特徴とするサーバ装置。
【請求項３】
請求項２に記載のサーバ装置であって、
複数の異なる前記アンケートの回答内容にそれぞれ応じて複数の前記回答操作が定められており、
前記回答情報は、前記回答操作に応じた前記アンケートの回答内容を特定するための情報であることを特徴とするサーバ装置。
【請求項４】
請求項１又は２に記載のサーバ装置であって、
複数の前記対象がある場合に、各対象の種別を示す種別情報を前記端末装置に送信する種別情報送信手段を更に備え、
前記記憶手段は、前記対象の種別毎に前記場面情報を記憶し、
前記受信手段は、前記端末装置から、前記送信した種別情報に基づいて前記回答者により選択された対象の種別を示す選択種別情報を更に受信し、
前記特定手段は、前記受信した操作信号に基づいて取得される時刻と、前記受信した選択種別情報の示す種別に対応する前記記憶手段の場面情報とに基づいて、前記対象の場面を特定することを特徴とするサーバ装置。
【請求項５】
請求項１又は２に記載のサーバ装置であって、
前記記憶手段は、前記対象毎に当該対象が鑑賞されるべき位置を示す評価位置情報を当該対象と対応付けて更に記憶し、
前記受信手段は、前記端末装置から前記端末装置の位置を示す端末位置情報と、アンケートの回答を行う対象を示す回答対象情報を更に受信し、
前記受信した回答対象情報の示すアンケートの回答を行う対象と対応付けて前記記憶手段に記憶されている評価位置情報と、前記受信した端末位置情報とが異なる場合に、前記端末装置から送信された操作信号に基づくアンケートの回答は不正であると判定する位置不正判定手段を、
更に備えることを特徴とするサーバ装置。
【請求項６】
請求項１又は２に記載のサーバ装置であって、
前記特定手段により特定された対象の場面を示す情報を前記端末装置に送信する送信手段、
を更に備え、
前記受信手段は、前記特定された場面が前記アンケートの回答の対象とした場面であるか否かを示す、前記回答者による確認情報を前記端末装置から受信し、
前記特定手段は、前記受信した確認情報が前記アンケートの回答の対象とした場面でないことを示す場合に、対象の場面を特定したことを取り消すことを特徴とするサーバ装置。
【請求項７】
請求項１又は２に記載のサーバ装置であって、
前記受信手段は、前記回答者が前記対象を鑑賞している際に集音された音声データを前記端末装置から更に受信し、
前記受信した音声データが、前記記憶手段により予め記憶されている前記対象の音声データの何れの部分にも該当しない場合に、端末装置からの操作信号が不正であると判定する音声不正判定手段を、
更に備えることを特徴とするサーバ装置。
【請求項８】
請求項２に記載のサーバ装置であって、
前記回答者による前記回答操作は、前記端末装置を振る操作であり、
前記受信手段は、前記振る操作が行われた際の前記端末装置の加速度又は前記端末装置が振られた回数の少なくとも何れか一方の操作値を特定するための操作値情報を更に受信し、
前記受信した操作値情報に基づいて特定した前記操作値から前記アンケートの回答内容のレベルを特定するレベル特定手段、を更に備え、
前記回答記憶手段は、前記レベル特定手段により特定されたレベルを、前記特定手段により特定された場面と対応付けて更に記憶することを特徴とするサーバ装置。
【請求項９】
請求項１に記載のサーバ装置であって、
前記回答者による前記回答操作は、前記端末装置を振る操作であり、
前記受信手段は、前記振る操作が行われた際の前記端末装置の加速度又は前記端末装置が振られた回数の少なくとも何れか一方の操作値を特定するための操作値情報を更に受信し、
前記受信した操作値情報に基づいて特定した前記操作値から前記回答操作が行われた時点での場面に対する前記回答者にとっての評価のレベルを特定するレベル特定手段と、
前記レベル特定手段により特定された評価のレベルを、前記特定手段により特定された場面と対応付けて記憶するレベル記憶手段と、
を更に備えることを特徴とするサーバ装置。
【請求項１０】
請求項８又は９に記載のサーバ装置であって、
前記受信手段が受信した前記操作値情報を記憶する操作値記憶手段と、
前記操作値記憶手段に記憶された前記操作値情報を参照し、前記アンケートの回答操作を行った回答者全体の操作値の平均を算出するとともに、前記アンケートの回答操作を行った何れか一の回答者の操作値の平均を算出する平均算出手段と、
前記平均算出手段により前記回答者全体について算出された操作値の平均と前記一の回答者について算出された操作値の平均との比率に基づいて、前記一の回答者の端末装置から送信された前記操作値情報で特定される前記操作値を補正する補正手段と、
を更に備え、
前記レベル特定手段は、前記補正手段により補正された前記操作値から前記レベルを特定することを特徴とするサーバ装置。
【請求項１１】
サーバ装置に含まれるコンピュータにより実行されるアンケート回答収集方法であって、
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信工程と、
前記受信した操作信号に基づいて時刻を取得し、当該取得した時刻と、前記対象の各場面と時刻とを対応付けた場面情報とに基づいて前記アンケートの回答対象となった場面を特定する特定工程と、
を含むことを特徴とするアンケート回答収集方法。
【請求項１２】
サーバ装置に含まれるコンピュータを、
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、
前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、
として機能させるアンケート回答収集プログラムを記録したコンピュータ読み取り可能な記録媒体。
【請求項１３】
サーバ装置に含まれるコンピュータを、
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、
前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、
として機能させることを特徴とするアンケート回答収集プログラム。
【手続補正２】
【補正対象書類名】明細書
【補正対象項目名】０００７
【補正方法】変更
【補正の内容】
【０００７】
上記課題を解決するために、請求項１に記載の発明は、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段と、前記対象の各場面と時刻とを対応付けた場面情報を記憶する記憶手段と、前記受信手段が受信した操作信号に基づいて時刻を取得し、当該取得した時刻と前記記憶手段の場面情報とに基づいて前記アンケートの回答対象となった場面を特定する特定手段と、を備えることを特徴とする。
【手続補正３】
【補正対象書類名】明細書
【補正対象項目名】００２６
【補正方法】変更
【補正の内容】
【００２６】
請求項１１に記載の発明は、サーバ装置に含まれるコンピュータにより実行されるアンケート回答収集方法であって、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信工程と、前記受信した操作信号に基づいて時刻を取得し、当該取得した時刻と、前記対象の各場面と時刻とを対応付けた場面情報とに基づいて前記アンケートの回答対象となった場面を特定する特定工程と、を含むことを特徴とする。
【手続補正４】
【補正対象書類名】明細書
【補正対象項目名】００２７
【補正方法】変更
【補正の内容】
【００２７】
請求項１２に記載の発明は、サーバ装置に含まれるコンピュータを、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、として機能させるアンケート回答収集プログラムを記録したコンピュータ読み取り可能な記録媒体である。
【手続補正５】
【補正対象書類名】明細書
【補正対象項目名】００２８
【補正方法】変更
【補正の内容】
【００２８】
請求項１３に記載の発明は、サーバ装置に含まれるコンピュータを、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、として機能させることを特徴とするアンケート回答収集プログラムである。
【手続補正書】
【提出日】平成24年10月31日(2012.10.31)
【手続補正１】
【補正対象書類名】特許請求の範囲
【補正対象項目名】全文
【補正方法】変更
【補正の内容】
【特許請求の範囲】
【請求項１】
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段と、
前記対象の各場面と時刻とを対応付けた場面情報を記憶する記憶手段と、
前記受信手段が受信した操作信号に基づいて時刻を取得し、当該取得した時刻と前記記憶手段の場面情報とに基づいて前記アンケートの回答対象となった場面を特定する特定手段と、
前記特定手段により特定された対象の場面を示す情報を前記端末装置に送信する送信手段と、
を備え、
前記受信手段は、前記特定された場面が前記アンケートの回答の対象とした場面であるか否かを示す、前記回答者による確認情報を前記端末装置から受信し、
前記特定手段は、前記受信した確認情報が前記アンケートの回答の対象とした場面でないことを示す場合に、対象の場面を特定したことを取り消すことを特徴とするサーバ装置。
【請求項２】
請求項１に記載のサーバ装置であって、
前記受信手段は、前記アンケートの回答内容を特定するための回答情報を更に受信し、
前記受信手段が受信した回答情報に基づいて特定される前記アンケートの回答内容を、前記特定手段により特定された場面と対応付けて記憶する回答記憶手段、
を更に備えることを特徴とするサーバ装置。
【請求項３】
請求項２に記載のサーバ装置であって、
複数の異なる前記アンケートの回答内容にそれぞれ応じて複数の前記回答操作が定められており、
前記回答情報は、前記回答操作に応じた前記アンケートの回答内容を特定するための情報であることを特徴とするサーバ装置。
【請求項４】
請求項１又は２に記載のサーバ装置であって、
複数の前記対象がある場合に、各対象の種別を示す種別情報を前記端末装置に送信する種別情報送信手段を更に備え、
前記記憶手段は、前記対象の種別毎に前記場面情報を記憶し、
前記受信手段は、前記端末装置から、前記送信した種別情報に基づいて前記回答者によ
り選択された対象の種別を示す選択種別情報を更に受信し、
前記特定手段は、前記受信した操作信号に基づいて取得される時刻と、前記受信した選択種別情報の示す種別に対応する前記記憶手段の場面情報とに基づいて、前記対象の場面を特定することを特徴とするサーバ装置。
【請求項５】
請求項１又は２に記載のサーバ装置であって、
前記記憶手段は、前記対象毎に当該対象が鑑賞されるべき位置を示す評価位置情報を当該対象と対応付けて更に記憶し、
前記受信手段は、前記端末装置から前記端末装置の位置を示す端末位置情報と、アンケートの回答を行う対象を示す回答対象情報を更に受信し、
前記受信した回答対象情報の示すアンケートの回答を行う対象と対応付けて前記記憶手段に記憶されている評価位置情報と、前記受信した端末位置情報とが異なる場合に、前記端末装置から送信された操作信号に基づくアンケートの回答は不正であると判定する位置不正判定手段を、
更に備えることを特徴とするサーバ装置。
【請求項６】
請求項１又は２に記載のサーバ装置であって、
前記受信手段は、前記回答者が前記対象を鑑賞している際に集音された音声データを前記端末装置から更に受信し、
前記受信した音声データが、前記記憶手段により予め記憶されている前記対象の音声データの何れの部分にも該当しない場合に、端末装置からの操作信号が不正であると判定する音声不正判定手段を、
更に備えることを特徴とするサーバ装置。
【請求項７】
請求項２に記載のサーバ装置であって、
前記回答者による前記回答操作は、前記端末装置を振る操作であり、
前記受信手段は、前記振る操作が行われた際の前記端末装置の加速度又は前記端末装置が振られた回数の少なくとも何れか一方の操作値を特定するための操作値情報を更に受信し、
前記受信した操作値情報に基づいて特定した前記操作値から前記アンケートの回答内容のレベルを特定するレベル特定手段、を更に備え、
前記回答記憶手段は、前記レベル特定手段により特定されたレベルを、前記特定手段により特定された場面と対応付けて更に記憶することを特徴とするサーバ装置。
【請求項８】
請求項１に記載のサーバ装置であって、
前記回答者による前記回答操作は、前記端末装置を振る操作であり、
前記受信手段は、前記振る操作が行われた際の前記端末装置の加速度又は前記端末装置が振られた回数の少なくとも何れか一方の操作値を特定するための操作値情報を更に受信し、
前記受信した操作値情報に基づいて特定した前記操作値から前記回答操作が行われた時
点での場面に対する前記回答者にとっての評価のレベルを特定するレベル特定手段と、
前記レベル特定手段により特定された評価のレベルを、前記特定手段により特定された場面と対応付けて記憶するレベル記憶手段と、
を更に備えることを特徴とするサーバ装置。
【請求項９】
請求項７又は８に記載のサーバ装置であって、
前記受信手段が受信した前記操作値情報を記憶する操作値記憶手段と、
前記操作値記憶手段に記憶された前記操作値情報を参照し、前記アンケートの回答操作を行った回答者全体の操作値の平均を算出するとともに、前記アンケートの回答操作を行った何れか一の回答者の操作値の平均を算出する平均算出手段と、
前記平均算出手段により前記回答者全体について算出された操作値の平均と前記一の回答者について算出された操作値の平均との比率に基づいて、前記一の回答者の端末装置から送信された前記操作値情報で特定される前記操作値を補正する補正手段と、
を更に備え、
前記レベル特定手段は、前記補正手段により補正された前記操作値から前記レベルを特定することを特徴とするサーバ装置。
【請求項１０】
サーバ装置に含まれるコンピュータにより実行されるアンケート回答収集方法であって、
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信工程と、
前記受信した操作信号に基づいて時刻を取得し、当該取得した時刻と、前記対象の各場面と時刻とを対応付けた場面情報とに基づいて前記アンケートの回答対象となった場面を特定する特定工程と、
前記特定工程により特定された対象の場面を示す情報を前記端末装置に送信する送信工程と、
前記特定された場面が前記アンケートの回答の対象とした場面であるか否かを示す、前記回答者による確認情報を前記端末装置から受信する工程と、
前記受信した確認情報が前記アンケートの回答の対象とした場面でないことを示す場合に、対象の場面を特定したことを取り消す工程と、
を含むことを特徴とするアンケート回答収集方法。
【請求項１１】
サーバ装置に含まれるコンピュータを、
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、
前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、
前記特定手段により特定された対象の場面を示す情報を前記端末装置に送信する送信手段、
として機能させ、
前記受信手段として機能させる際には、前記特定された場面が前記アンケートの回答の対象とした場面であるか否かを示す、前記回答者による確認情報を前記端末装置から受信させ、
前記特定手段として機能させる際には、前記受信した確認情報が前記アンケートの回答の対象とした場面でないことを示す場合に、対象の場面を特定したことを取り消させるアンケート回答収集プログラムを記録したコンピュータ読み取り可能な記録媒体。
【請求項１２】
サーバ装置に含まれるコンピュータを、
複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、
前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、
前記特定手段により特定された対象の場面を示す情報を前記端末装置に送信する送信手段、
として機能させ、
前記受信手段として機能させる際には、前記特定された場面が前記アンケートの回答の対象とした場面であるか否かを示す、前記回答者による確認情報を前記端末装置から受信させ、
前記特定手段として機能させる際には、前記受信した確認情報が前記アンケートの回答の対象とした場面でないことを示す場合に、対象の場面を特定したことを取り消させることを特徴とするアンケート回答収集プログラム。
【手続補正２】
【補正対象書類名】明細書
【補正対象項目名】０００７
【補正方法】変更
【補正の内容】
【０００７】
上記課題を解決するために、請求項１に記載の発明は、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段と、前記対象の各場面と時刻とを対応付けた場面情報を記憶する記憶手段と、前記受信手段が受信した操作信号に基づいて時刻を取得し、当該取得した時刻と前記記憶手段の場面情報とに基づいて前記アンケートの回答対象となった場面を特定する特定手段と、前記特定手段により特定された対象の場面を示す情報を前記端末装置に送信する送信手段と、を備え、前記受信手段は、前記特定された場面が前記アンケートの回答の対象とした場面であるか否かを示す、前記回答者による確認情報を前記端末装置から受信し、前記特定手段は、前記受信した確認情報が前記アンケートの回答の対象とした場面でないことを示す場合に、対象の場面を特定したことを取り消すことを特徴とする。
【手続補正３】
【補正対象書類名】明細書
【補正対象項目名】０００８
【補正方法】変更
【補正の内容】
【０００８】
したがって、回答者は鑑賞している対象を構成する場面についてアンケートに回答しようとする場合に、その場面の最中に端末操作に対して回答操作を行えばよく回答が容易である。また、サーバ装置は、回答操作が行われた時刻から回答者がアンケートに回答した場面を特定できることから、場面に対するアンケートの回答を他の場面に対する回答と混同することなく、正確に収集することができる。
また、回答者が実際にアンケートの回答を行った対象の場面と、サーバ側で特定した対象の場面が一致しているかを回答者に確認してもらうことができ、対象の場面の特定に係る精度を向上させることができる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項６に記載の発明は、請求項１又は２に記載のサーバ装置であって、前記受信手段は、前記回答者が前記対象を鑑賞している際に集音された音声データを前記端末装置から更に受信し、前記受信した音声データが、前記記憶手段により予め記憶されている前記対象の音声データの何れの部分にも該当しない場合に、端末装置からの操作信号が不正であると判定する音声不正判定手段を、更に備えることを特徴とする。
【手続補正７】
【補正対象書類名】明細書
【補正対象項目名】００２０
【補正方法】変更
【補正の内容】
【００２０】
請求項７に記載の発明は、請求項２に記載のサーバ装置であって、前記回答者による前記回答操作は、前記端末装置を振る操作であり、前記受信手段は、前記振る操作が行われた際の前記端末装置の加速度又は前記端末装置が振られた回数の少なくとも何れか一方の操作値を特定するための操作値情報を更に受信し、前記受信した操作値情報に基づいて特定した前記操作値から前記アンケートの回答内容のレベルを特定するレベル特定手段、を更に備え、前記回答記憶手段は、前記レベル特定手段により特定されたレベルを、前記特定手段により特定された場面と対応付けて更に記憶することを特徴とする。
【手続補正８】
【補正対象書類名】明細書
【補正対象項目名】００２２
【補正方法】変更
【補正の内容】
【００２２】
請求項８に記載の発明は、請求項１に記載のサーバ装置であって、前記回答者による前記回答操作は、前記端末装置を振る操作であり、前記受信手段は、前記振る操作が行われた際の前記端末装置の加速度又は前記端末装置が振られた回数の少なくとも何れか一方の操作値を特定するための操作値情報を更に受信し、前記受信した操作値情報に基づいて特定した前記操作値から前記回答操作が行われた時点での場面に対する前記回答者にとっての評価のレベルを特定するレベル特定手段と、前記レベル特定手段により特定された評価のレベルを、前記特定手段により特定された場面と対応付けて記憶するレベル記憶手段と、を更に備えることを特徴とする。
【手続補正９】
【補正対象書類名】明細書
【補正対象項目名】００２４
【補正方法】変更
【補正の内容】
【００２４】
請求項９に記載の発明は、請求項７又は８に記載のサーバ装置であって、前記受信手段が受信した前記操作値情報を記憶する操作値記憶手段と、前記操作値記憶手段に記憶された前記操作値情報を参照し、前記アンケートの回答操作を行った回答者全体の操作値の平均を算出するとともに、前記アンケートの回答操作を行った何れか一の回答者の操作値の平均を算出する平均算出手段と、前記平均算出手段により前記回答者全体について算出された操作値の平均と前記一の回答者について算出された操作値の平均との比率に基づいて、前記一の回答者の端末装置から送信された前記操作値情報で特定される前記操作値を補正する補正手段と、を更に備え、前記レベル特定手段は、前記補正手段により補正された前記操作値から前記レベルを特定することを特徴とする。
【手続補正１０】
【補正対象書類名】明細書
【補正対象項目名】００２６
【補正方法】変更
【補正の内容】
【００２６】
請求項１０に記載の発明は、サーバ装置に含まれるコンピュータにより実行されるアンケート回答収集方法であって、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信工程と、前記受信した操作信号に基づいて時刻を取得し、当該取得した時刻と、前記対象の各場面と時刻とを対応付けた場面情報とに基づいて前記アンケートの回答対象となった場面を特定する特定工程と、前記特定工程により特定された対象の場面を示す情報を前記端末装置に送信する送信工程と、前記特定された場面が前記アンケートの回答の対象とした場面であるか否かを示す、前記回答者による確認情報を前記端末装置から受信する工程と、前記受信した確認情報が前記アンケートの回答の対象とした場面でないことを示す場合に、対象の場面を特定したことを取り消す工程と、を含むことを特徴とする。
【手続補正１１】
【補正対象書類名】明細書
【補正対象項目名】００２７
【補正方法】変更
【補正の内容】
【００２７】
請求項１１に記載の発明は、サーバ装置に含まれるコンピュータを、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、前記特定手段により特定された対象の場面を示す情報を前記端末装置に送信する送信手段、として機能させ、前記受信手段として機能させる際には、前記特定された場面が前記アンケートの回答の対象とした場面であるか否かを示す、前記回答者による確認情報を前記端末装置から受信させ、前記特定手段として機能させる際には、前記受信した確認情報が前記アンケートの回答の対象とした場面でないことを示す場合に、対象の場面を特定したことを取り消させるアンケート回答収集プログラムを記録したコンピュータ読み取り可能な記録媒体である。
【手続補正１２】
【補正対象書類名】明細書
【補正対象項目名】００２８
【補正方法】変更
【補正の内容】
【００２８】
請求項１２に記載の発明は、サーバ装置に含まれるコンピュータを、複数の場面で構成され、時間の経過に伴って前記場面が移り変わる対象を鑑賞しつつ前記対象に関するアンケートに回答する回答者の端末装置から、前記回答者が前記アンケートに回答するための回答操作を行った時刻を取得するための操作信号を受信する受信手段、前記受信手段が受信した操作信号に基づいて時刻を取得し、当該取得した時刻と、前記対象の各場面と時刻とを対応付けた場面情報とに基づいて前記アンケートの回答対象となった場面を特定する特定手段、前記特定手段により特定された対象の場面を示す情報を前記端末装置に送信する送信手段、として機能させ、前記受信手段として機能させる際には、前記特定された場面が前記アンケートの回答の対象とした場面であるか否かを示す、前記回答者による確認情報を前記端末装置から受信させ、前記特定手段として機能させる際には、前記受信した確認情報が前記アンケートの回答の対象とした場面でないことを示す場合に、対象の場面を特定したことを取り消させることを特徴とするアンケート回答収集プログラムである。
【手続補正１３】
【補正対象書類名】明細書
【補正対象項目名】００２９
【補正方法】変更
【補正の内容】
【００２９】
本発明によれば、回答者は鑑賞している対象を構成する場面についてアンケートに回答しようとする場合に、その場面の最中に端末操作に対して回答操作を行えばよく回答が容易である。また、サーバ装置は、回答操作が行われた時刻から回答者がアンケートに回答した場面を特定できることから、場面に対するアンケートの回答を他の場面に対する回答と混同することなく、正確に収集することができる。
また、回答者が実際にアンケートの回答を行った対象の場面と、サーバ側で特定した対象の場面が一致しているかを回答者に確認してもらうことができ、対象の場面の特定に係る精度を向上させることができる。
【国際調査報告】
2012043735.tif 000015
2012043735.tif 000016
2012043735.tif 000017
2012043735.tif 000018